(57)【要約】【課題】  図柄変動パターン演出中において、突発的に出現する特定演出を見逃すことを低減することができ、かつ遊技者の遊技の参加という要素を併せ持たせる。【解決手段】  図柄変動パターン演出に予告演出が含まれている場合に、その予告演出が極めて短い時間であり、かつ表示部４３の画像表示領域のごく一部であるため、遊技者が見逃す場合がある。そこで、スイッチ５０を操作することで、既に終了した本来の予告演出を再生するようにした。これにより、遊技者は、見逃した予告演出を確認することができる。また、スイッチ５０の操作状態（継続操作）によっては、予告演出の重要部分で静止画として表示するようにしたため、予告内容の把握が容易となる。【選択図】      図８
2006174924.tif 000002
【特許請求の範囲】
【請求項１】
始動口への入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機であって、
複数の図柄群で構成された変動列を周回表示する図柄変動パターン演出として表示装置に表示する図柄変動パターン演出表示制御手段と、
前記図柄変動パターン演出中の比較的短い時間に、前記特別図柄抽選の当たりの期待度を表現する特定演出を前記表示装置に表示する特定演出表示制御手段と、
前記表示部における、前記図柄変動パターン演出中、かつ前記特定演出の実行後に所定操作が有効される操作部と、
前記操作部における有効な所定操作毎に、前記演出が終了した特定演出に基づく特定演出を繰り返して表示する繰り返し表示制御手段と、
を有する遊技機。
【請求項２】
前記操作部の所定操作が、前記特定演出の演出時間以上連続して所定操作状態が継続された場合に、その時間差分、前記特定演出の適宜位置での静止画像を表示することを特徴とする請求項１記載の遊技機。
【請求項３】
前記繰り返し表示制御手段が、前記操作部の所定操作毎に、前記特定演出を再演出することを特徴とする請求項１又は請求項２記載の遊技機。
【請求項４】
前記繰り返し表示制御手段が、前記操作部の所定操作毎に、予め設定した前記特定演出を基にした異なる特定演出を実行することを特徴とする請求項１又は請求項２記載の遊技機。
【請求項５】
前記異なる特定演出が、前記基となる特定演出の表示サイズの大きさであり、前記操作部の所定操作毎に前記表示サイズを大きくして表示することを特徴とする請求項４記載の遊技機。
【請求項６】
前記異なる特定演出が、演出形態の発展であり、前記操作部の所定操作毎に、特別図柄抽選の当たりの期待度が変化する特定演出を表示することを特徴とする請求項４記載の遊技機。
【発明の詳細な説明】
【技術分野】
【０００１】
本発明は、始動口への入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機に関するものである。
【背景技術】
【０００２】
従来より、遊技機、特にパチンコ機において、始動口（特別図柄始動入賞口）に入賞したパチンコ球を検出することで特図抽選がなされ、この特図抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
この種のパチンコ機では、特図抽選の結果を遊技者に報知する演出として、パチンコ機のゲージ盤の中央に表示部（通常は液晶表示画面）を設置している。この表示部は、複数の列（例えば３列）の図柄変動パターン演出画像が表示されると共に、この図柄変動パターン演出画像と重なるように背景画像が表示される。
【０００４】
前記始動口に入賞し、特図抽選が実行されると、表示部では、図柄変動パターン演出が実行され、当該図柄変動パターン演出後の停止図柄の並び方で当選／落選（当／外）を報知するようになっている。遊技者は、この図柄変動画面を見ることによって、当たりか外れかに一喜一憂するため、期待感を持たせることができる。
【０００５】
ところで、上記図柄変動パターン演出中において、極めて短い時間、特定演出（予告演出）が実行される場合がある。予告演出は、前記特別図柄抽選の当たりの期待度を表現するものであり、特に、図柄変動パターン演出中に大当たりの期待が高い場合に出現する。このため、遊技者は、この予告演出が出現するか否かを目を凝らして、表示部を見る必要がある。
【０００６】
なお、この予告演出の技術として、遊技者が操作可能な操作部（操作ボタン等）を操作することで、その操作内容によって出現する予告演出内容を変化させることが提案されている（特許文献１参照）。
【０００７】
これにより、予告演出に加え、遊技者介入という新たな要素を持たせることで、趣向性を高めることができる。
【特許文献１】特開２００２−２２５９９３公報
【発明の開示】
【発明が解決しようとする課題】
【０００８】
しかしながら、上記特許文献１を含め、従来の予告演出等の特定演出は前述の如く、図柄変動パターン演出中の極めて短い時間で実行されるため、遊技者が、一瞬表示部から目を離したすきに、予告演出が始まり、かつ終了してしまう場合がある。
【０００９】
また、予告演出は、図柄変動パターン演出に対して補助的なものであるため、表示部での占有面積も小さく、基本的に見ずらいものとなっている（見ずらくするのも１つの遊技仕様でもある。）。
【００１０】
本発明は上記事実を考慮し、図柄変動パターン演出中において、突発的に出現する特定演出を見逃すことを低減することができ、かつ遊技者の遊技の参加という要素を併せ持たせることができる遊技機を得ることが目的である。
【課題を解決するための手段】
【００１１】
請求項１に記載の発明は、始動口への入賞を主目的とした通常遊技状態において、前記始動口への入賞を契機に特別図柄抽選が実行され、前記特別図柄抽選が当たりの場合に、短期間で多くの賞球をもたらす特別遊技状態とする遊技機であって、複数の図柄群で構成された変動列を周回表示する図柄変動パターン演出として表示装置に表示する図柄変動パターン演出表示制御手段と、前記表示装置に表示される前記図柄変動パターン演出後に順次停止する複数列の停止図柄配列によって、前記特別図柄抽選の結果を報知する報知手段と、前記図柄変動パターン演出中の比較的短い時間に、前記特別図柄抽選の当たりの期待度を表現する特定演出を前記表示装置に表示する特定演出表示制御手段と、前記表示部における、前記図柄変動パターン演出中、かつ前記特定演出の実行後に所定操作が有効される操作部と、前記操作部における有効な所定操作毎に、前記演出が終了した特定演出に基づく特定演出を繰り返して表示する繰り返し表示制御手段と、を有している。
【００１２】
請求項１記載の発明によれば、特定演出表示制御手段では、図柄変動パターン演出中の比較的短い時間に、前記特別図柄抽選の当たりの期待度を表現する特定演出を前記表示装置に表示する。
【００１３】
このとき、図柄変動パターン演出中、かつ前記特定演出の実行後に操作部の所定操作を有効とする。
【００１４】
操作部により有効な所定操作がなされると、繰り返し表示制御手段では、当該操作部の有効所定操作毎に、前記演出が終了した特定演出に基づく特定演出を繰り返して表示する。
【００１５】
これにより、遊技者は、見逃した特定演出を再現することができ、特別図柄抽選の当たりの期待度という、重要な情報を認識することができる。
【００１６】
請求項２に記載の発明は、前記請求項１に記載の発明において、前記操作部の所定操作が、前記特定演出の演出時間以上連続して所定操作状態が継続された場合に、その時間差分、前記特定演出の適宜位置での静止画像を表示することを特徴としている。
【００１７】
請求項２に記載の発明によれば、操作部の所定操作が、前記特定演出の演出時間以上連続して所定操作状態が継続された場合に、その時間差分、前記特定演出の適宜位置での静止画像を表示する。すなわち、表示部の特定演出の画像を所謂ポーズ（pause）状態とすることができ、遊技者は納得するまで特定演出を確認することができる。
【００１８】
請求項３に記載の発明は、前記請求項１又は請求項２に記載の発明において、前記繰り返し表示制御手段が、前記操作部の所定操作毎に、前記特定演出を再演出することを特徴としている。
【００１９】
請求項３に記載の発明によれば、操作部の所定操作毎に、前記特定演出を再演出する。これにより、見逃したときはもちろん、特定演出を見て理解できない部分を再確認することができる。
【００２０】
請求項４に記載の発明は、前記請求項１又は請求項２に記載の発明において、前記繰り返し表示制御手段が、前記操作部の所定操作毎に、予め設定した前記特定演出を基にした異なる特定演出を実行することを特徴としている。
【００２１】
請求項４に記載の発明によれば、操作部の所定操作毎に、予め設定した前記特定演出を基にした異なる特定演出を実行する。例えば、基となる特定演出に対して、より詳細な情報を提供するように発展させた特定演出を実行することで、操作部の所定操作の有用性を高めることができる。
【００２２】
請求項５に記載の発明は、前記請求項４に記載の発明において、前記異なる特定演出が、前記基となる特定演出の表示サイズの大きさであり、前記操作部の所定操作毎に前記表示サイズを大きくして表示することを特徴としている。
【００２３】
請求項５に記載の発明によれば、表示サイズの拡大は、情報そのものは同一であるが、当該情報を見易くするという観点から、情報の発展ということができる。
【００２４】
請求項６に記載の発明は、前記請求項４に記載の発明において、前記異なる特定演出が、演出形態の発展であり、前記操作部の所定操作毎に、特別図柄抽選の当たりの期待度が変化する特定演出を表示することを特徴としている。
【００２５】
請求項６に記載の発明によれば、操作部の所定操作毎に、特別図柄抽選の当たりの期待度が変化する特定演出を表示する。すなわち、操作部の所定操作毎に新たな情報を提供するため、文字通り情報の発展ということができる。
【発明の効果】
【００２６】
以上説明した如く本発明では、図柄変動パターン演出中において、突発的に出現する特定演出を見逃すことを低減することができ、かつ遊技者の遊技の参加という要素を併せ持たせることができるという優れた効果を有する。
【発明を実施するための最良の形態】
【００２７】
（全体構成）
図１には、本実施の形態に係るパチンコ機１０が示されている。パチンコ機１０は額縁状の枠体１２に収容されている。パチンコ機１０の前面には、ガラス枠１４が設けられている。
【００２８】
ガラス枠１４には、複数の表示灯１６やスピーカ１８が設けられている。また、ガラス枠１４の中央は窓部となっており、この窓部には紙面奥行き方向に所定の間隔で互いに平行とされた一対のガラス２０（二重構造）が装着されている。さらに、ガラス枠１４の図１の右辺部には施錠装置（シリンダ）２２が設けられている。
【００２９】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００３０】
この貯球タンクには、パチンコ機１０の上端に設けられた貯留部（図示省略）に貯留されたパチンコ球が払い出されるようになっている。この払い出しには、遊技者にパチンコ球を貸し出すとき（球貸）と、遊技の進行に応じて遊技者に付与するとき（賞球）と、の２種類がある。
【００３１】
一体皿２６は、その一側部（図１の左辺部）が枠体１２に対して開閉可能に取付けられている。一体皿２６の前面には、左側下部に灰皿２８が配置され、右側下部には発射装置１６６（図３参照）から発射する打球の飛距離を調整するための発射ハンドル３０が設けられている。
【００３２】
前記一体皿２６における遊技者と対向する面には、スイッチ５０が設けられている。このスイッチ５０は、遊技の進行中において、遊技者が押圧操作することで、遊技の進行に何らかの影響を及ぼすことが可能となっており、スイッチ５０の配線、或いはソフト的な処理によって、設計に基づく機能を持たせることができる。本実施の形態では、主として表示部４３に表示する演出図柄変動パターン演出の１つである、予告演出の再演出指示のトリガとして適用されるようになっている（詳細後述）。
【００３３】
また内枠１４の窓部には、遊技盤載置台に載せて交換可能とされた遊技盤３２が窓部に対応して設置されている。
【００３４】
図２に示される如く、遊技盤３２は、外バンド３６及び内バンド３８によって囲まれた略円形状の遊技領域が形成されている。
【００３５】
遊技領域には、図示しない釘や風車の他、センター役物４２、当該センター役物４２に設けられた表示部４３、並びに大入賞口（変動入賞装置）４４等の役物、特別図柄始動口４６や通過装置４８、入賞装置４９等の遊技部品が取り付けられており、最下位置にアウト口５４が配置されている。なお、センター役物４２の上端部には、普通図柄表示装置４２Ａが設けられている。
【００３６】
通過装置４８（図２の向かって左側の通過装置４８のみの場合もある）は、前記普通図柄表示装置４２Ａの始動トリガとなっており（普通図柄始動口）、通過装置４８をパチンコ球が通過すると普通図柄抽選（普図抽選）が実行され、当たりの場合、普通図柄表示装置４２Ａの表示が当りを表示し、電動チューリップ４７が開放し、特別図柄始動口４６への入賞の確率が物理的に高まるようになっている。
【００３７】
また、表示部４３の上部には、保留ランプ１００が設けられており、本実施の形態では、最大４個の保留が可能であるため、この数に対応した４個の保留ランプ１００が設けられている。
【００３８】
保留とは、前記表示部４３において、図柄変動パターン演出を実行中に新たに特別図柄始動口４６に入賞した場合に、この入賞により実行された特図抽選の結果の報知を待機することを言う。なお、大当たり処理中に特別図柄始動口４６に入賞した場合も、表示部４３が大当たり処理演出の動画パターンを再生しているため、保留の対象となる。但し、保留する数には限度があり（本実施の形態では４個）、これ以上の特別図柄始動口４６への入賞は保留の対象とはならない。
【００３９】
（制御系の構成）
図３には、パチンコ機１０を制御するための制御系の概略が示されている。制御系は、主制御部１５０を中心として構成されている。主制御部１５０には、遊技に関する基本的なプログラムが記憶されており、この主制御部１５０からの命令信号に基づいて、各部の動作が制御されるようになっている。
【００４０】
この主制御部１５０には、特別図柄始動口４６に設けられた始動入賞センサ１６８、普通図柄始動口である通過装置４８や、入賞装置４９に設けられた通過／入賞センサ１７２並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御部１５０に接続されている。このＶゾーンセンサ１７７は、省略して大入賞口センサ１７３のみにするものでもよい。
【００４１】
さらに、主制御部１５０には、特別図柄始動口４６に設けられた電動チューリップ４７（図２参照）を開閉させるためのソレノイド１７４、大入賞口４４を開閉させるためのソレノイド１７５が接続されている。
【００４２】
また、主制御部１５０からは盤用外部端子１９０を介してホールコンピュータへ遊技の進行状態を示す情報が出力されるようになっている。
【００４３】
ここで、パチンコ球が特別図柄始動口４６に入賞すると、これを始動入賞センサ１６８で検出することで特図抽選が実行されるようになっており、当選した場合は、通常遊技状態から特別遊技状態へ遊技状態が移行されるようになっている。
【００４４】
一方、この主制御部１５０には、演出制御部１５２と、払出制御部１５４とが接続されている。
【００４５】
演出制御部１５２には、図柄・音声制御部１５６を介してスピーカ１８、センター役物４２の表示部（ＬＣＤ）４３、普通図柄表示装置４２Ａ、並びに保留ランプ１００、前記一体皿２６に設けられたスイッチ５０が接続されている。
【００４６】
なお、上記では、スイッチ５０の操作信号は、演出制御部１５２へ送出される構成であるが（図３の実線参照）、主制御部１５０を介して当該スイッチ５０を演出制御部１５２に接続するようにしてもよい（図３の鎖線参照）。
【００４７】
また、演出制御部１５２は、パチンコ機１０のガラス枠１４に取り付けられた複数の表示灯１６の点灯・消灯を制御する。なお、表示部４３では、前記特図抽選の結果を報知するための図柄変動パターン演出画像を表示すると共に、スピーカ１８からは当該図柄変動パターン演出時のＢＧＭが出力されるようになっている。すなわち、遊技者は、視覚及び聴覚を通じて、特図抽選の結果を含む演出を楽しむことができる。なお、普通図柄表示装置４２Ａ、保留ランプ１００は表示部４３にて表示するものでもよい。なお、図柄変動パターンには、特別図柄変動パターン及び演出図柄変動パターンがあり、双方共に特図抽選の結果を報知するものであるが、特別図柄変動パターンは予め定められた変動及び停止を行い特図抽選の結果を所定時間経過後に正式に報知する性質のものであるのに対し、演出図柄変動パターンは当該特図抽選の結果を報知するまでの過程に演出を加味し、当選／落選かに一喜一憂させながら報知する性質のものである。
【００４８】
従って、実際には、演出図柄変動パターンを主として表示部４３のほぼ全域に表示し、特別図柄変動パターンは、その表示部４３の一部（例えば、左下隅）に形式的に表示するようにしている（詳細後述）。
【００４９】
ここで、前記特図抽選の結果が当たりとなり、表示部４３における図柄変動パターン演出並びにスピーカ１８からのＢＧＭ出力によって、当該当選を報知し終えると、特別遊技状態である大当たり処理が実行される。
【００５０】
この大当たり処理は、前記大入賞口４４が所定回数（ラウンド）開放するものである。１ラウンドの開放時間は約３０秒とされ、この間に最大１０個のパチンコ球が入賞可能となる。すなわち、時間制限である３０秒、或いは数制限である１０個の何れか一方が先に満足されると、そのラウンドの権利は消滅し、当該大当たり処理中に大入賞口４４内のＶゾーンへの入賞があった場合に、次のラウンドへ移行することが約束される。なお、Ｖゾーンを省略し、単に所定個数のカウントをし、それを基に、次に継続するものでもよい。
【００５１】
このため、特別遊技状態では、通常遊技状態よりも短期間で多くの入賞が期待され、遊技者にとって有利な遊技状態とすることができる。
【００５２】
また、前述したように、前記表示部４３において、図柄変動パターン演出を実行中に新たに特別図柄始動口４６に入賞した場合、並びに大当たり処理中に特別図柄始動口４６に入賞した場合、保留ランプ１００の表示がその分、点灯数が増えていく（最大４個）。
【００５３】
一方、前回の図柄変動パターン演出が終了する、或いは大当たり処理が終了すると、表示部４３では、保留分の特図抽選結果の報知を行うべく、新たな図柄変動パターン演出が開始される。これに伴い、保留ランプ１００が１個消灯し、保留分の消化を遊技者に報知する。
【００５４】
また、払出制御部１５４には、払出装置１６０、貸出装置１６２、発射制御部１６４が接続されており、発射制御部１６４は、発射装置１６６を制御して、遊技者によるハンドル３０の操作に応じてパチンコ球を打ち出す。
【００５５】
さらに、払出制御部１５４では、枠用外部端子（図示省略）を介して払出情報をホールに設置されたホールコンピュータへ送出するようになっている。
【００５６】
ここで、本実施の形態では、図柄変動パターン演出の際に、特図抽選の結果の期待度を示す予告演出（特定演出）を実行する場合がある。この予告演出は、常に実行するものではなく、例えば、主制御部１５０における特図抽選、並びに図柄変動パターン種の抽選に併せて予告演出を行うか否かを決定する場合もあるし、演出制御部１５２において、特図抽選の結果等に基づいて、予告演出を行うか否かを決定する場合もある。
【００５７】
何れににしても、予告演出は、図柄変動パターン演出中の予期しないときに極めて短期間で、かつ表示部４３の一部の領域でのみ実行されるようになっている。
【００５８】
予告演出が短期間である理由は、遊技性によるものであり、普段見慣れている図柄変動パターン演出に対して、一瞬、何かが表示部４３を横切るように表示したり、出現→消滅することで、遊技者に違和感を感じさせるためである。
【００５９】
また、予告演出が表示部４３の一部の領域で実行されるのは、表示部４３に表示される重要な情報は特図抽選の結果であり、これが図柄変動パターン演出によって報知されるため、この図柄変動パターン演出を遮るようなことは回避するべきであるからである。
【００６０】
上記の理由から、遊技者が表示部４３から目を離したすきに、予告演出が実行されることがあり、遊技者は図柄変動パターン演出に次ぐ重要な情報を見逃すことになる。これは、設計者側にとっても不本意なことである。
【００６１】
そこで、本実施の形態では、このような不具合を解消するべく、遊技者によるスイッチ５０の操作により、予告演出の再現を可能とした。
【００６２】
スイッチ５０の操作が有効な期間は、予告演出が実行され、終了してから、図柄変動パターン演出が終了までとし、この間にスイッチ５０が操作された場合には、このスイッチ５０の操作回数に準じて予告演出が再現されるようになっている。
【００６３】
図４には、演出制御部１５２における、予告演出の再現に関する演出制御のための機能ブロック図が示されている。
【００６４】
前記スイッチ５０は、操作信号生成部２００に接続されており、スイッチ５０の押圧操作に基づく、パルス信号を生成する。すなわち、操作信号生成部２００からの出力は、スイッチ５０の押圧中はハイレベル、スイッチ５０の非押圧中や操作無効中はローレベルとなる。
【００６５】
一方、主制御部からのコマンドは、コマンド解析部２０２に入力されるようになっている。コマンド解析部２０２には、変動パターンデータ読出部２０４及び予告演出有無判定部２０６が接続されている。すなわち、本実施の形態では、主制御部１５０において予告演出を実行するか否かを決定しており、この予告演出有無判定部２０６において、この決定の情報を認識する。
【００６６】
なお、前述したように、演出制御部１５２において予告演出を決定する場合には、この予告演出有無判定部２０６に代えて、予告演出実行決定部を設ければよい。
【００６７】
変動パターンデータ読出部２０４には、コマンド解析部２０２で解析した、変動パターン種を指定する情報が入力され、変動パターンデータ読出部２０４では、この変動パターン種指定情報に基づいて、変動パターンデータメモリ２０８から変動パターンデータを読み出す。
【００６８】
なお、このとき、指定された変動パターンに対して、当該変動パターン演出中の所定の時期に特定演出としての予告演出を実行する指示が付加されていた場合、前記コマンド解析部２０２から予告演出有無判定部２０６に対して予告演出有りの信号を送出する。
【００６９】
一方、変動パターン読出部２０４では、変動パターンデータの読み出しと共に、前記予告演出有無判定部２０６から予告演出有りを指示する信号が入力された場合には、予告演出データメモリ２１０から予告演出データを併せて読み出す。
【００７０】
変動パターン読出部２０４には、予告演出データ一時保存部２１２が接続されており、前記読み出した予告演出データを一時的に保存する。これは、後述するスイッチ５０の操作による予告演出の再生時に適用されるものである。
【００７１】
読み出された変動パターンデータは、画像合成部２１４へ送出され、図柄変動パターン画像と予告演出画像とが合成され、当該合成データが画像表示制御部２１６へ送出される。
【００７２】
画像表示制御部２１６では、表示ドライバ２１８（図柄・音声制御部１５６に搭載）を介して、表示部４３に当該変動パターンを表示する。
【００７３】
ここで、前記画像表示制御部２１６は、有効期間設定部２２０を介してブランキング期間設定部２２２に接続されている。
【００７４】
このブランキング期間設定部２２２には、前記画像表示制御部２１６から、有効期間設定部２２０を介して、スイッチ５０の操作が有効か否かを設定する信号（操作有効／無効信号）が入力されており、有効操作信号を出力するには、この有効期間設定部２２０からの信号が有効を設定する信号が入力されていることが条件となる。
【００７５】
なお、ブランキング期間設定部２２２は、前記予告演出有無決定部２０６と接続されており、この予告演出有無決定分２０６からの予告演出有りを示す信号に基づき、起動する（非起動時は、常にスイッチ操作無効となる）。
【００７６】
本実施の形態では、前記有効期間設定部２２０から有効を設定する信号が出力されるのは、図柄変動パターン演出中、かつ予告演出が終了した後から、図柄変動パターン演出が終了するまでの間とされている。
【００７７】
ブランキング期間設定部２２２の有効操作信号は、前記予告演出再生指示部２２４へ送出されるようになっている。
【００７８】
有効操作信号を受けた予告演出再生指示部２２４では、この有効操作信号の入力の度に、既に演出が終了した予告演出を再生するべく、予告演出データ再読出部２２６へアクセスして、前記予告演出一時保存部２１２からの予告演出データの読み出しを指示する。
【００７９】
これにより、予告演出データ再読出部２２６では、予告演出一時保存部２１２から予告演出データを読み出し、予告演出編集実行部２２８へ送出する。
【００８０】
読み出された予告演出データは、予告演出編集実行部２２８から画像表示制御部２１６へ送出され、図柄変動パターン演出中を条件として、表示部４３に重ねて表示する。
【００８１】
このとき、予告演出編集実行部２２８には、前記ブランキング期間設定部２２２から有効操作信号が入力されており、この有効操作信号が予告演出時間よりも短い時間だけハイレベル信号である場合には、予告演出を通常通り再生する。一方、有効操作信号が予告演出時間よりも長くハイレベル信号のまま保持（スイッチ５０が押圧操作されたままの状態）されている場合、予告演出中の最も重要な画像（例えば、キャラクタが登場している画像等）で静止画像（ポーズ状態）として画像表示制御部２１６へ送出する。
【００８２】
なお、この予告演出の再生は、スイッチ５０の操作が有効の間（有効操作信号の出力）は、何度でも実行される。
【００８３】
以下に、本実施の形態の作用を説明する。
【００８４】
まず、通常遊技の流れを図５に示す主制御部１５０の制御フローチャートに従い説明する。
【００８５】
遊技者がハンドル３０を把持し、発射のための操作を行なうと、このハンドル操作量（回転量）に応じた強度で、パチンコ球が打ち出される。
【００８６】
パチンコ球が打ち出されると、外バンド３６及び内バンド３８に案内されて盤面３２の釘や風車等に当接しながら、予測し得ない移動をしながら落下していく。ここで、特別図柄始動口４６にパチンコ球が入賞すると（ステップ２５０の肯定判定）、それが有効か否かを判断し（ステップ２５２）、有効でありかつ保留の必要がない場合（ステップ２５２で肯定判定、かつステップ２５４で否定判定）、所定の確率下で特図抽選が開始される（ステップ２５６）。例えば、乱数カウンタ等から乱数を取得する。なお、大当たり判定は、前記取得した乱数値と予め設定した当たり値との照合をすることで、当たり／外れを判定するものである。
【００８７】
なお、始動入賞がなくても、保留がある場合（ステップ２５８の肯定判定）にも特図抽選は実行される。また、保留が必要の場合には（ステップ２５４の肯定判定）、保留が満タンでないことを条件に（ステップ２６０の否定判定）、保留数が加算される（ステップ２６２）。
【００８８】
一方、普通図柄始動口としての通過装置４８にパチンコ球が入賞すると、所定の確率下で普図抽選が開始される。
【００８９】
普図抽選の結果が当たりの場合は、電動チューリップ４７を所定回数、所定期間開放し、特別図柄始動口４６への入賞の確率を高めることができる。なお、通常遊技中の電動チューリップ４７の動作は、開閉回数が１回、開放時間が０．５秒程度である。また、特別遊技中の電動チューリップ４７の動作は、開閉回数が２回、開放時間が２秒程度である。
【００９０】
前記特図抽選後、その判定が実施され（ステップ２６４）、判定結果に基づいて、特別図柄変動パターンの抽選が実行され（ステップ２６６）、次いで特別図柄変動パターンの変動時間に準じた演出図柄変動パターンが選定されて（ステップ２６８）、演出制御部１５２へコマンドが送出される（ステップ２７０）。
【００９１】
主制御部１５０では、特別図柄変動パターンの変動時間を計時しており、この変動時間が終了すると（ステップ２７２の肯定判定）、当該特別図柄変動パターンに対応する抽選結果が当たりの場合に（ステップ２７４の肯定判定）、大当たり処理の実行が開始される（ステップ２７６）。
【００９２】
大当たり処理は、予め設定したラウンド数（例えば、１５ラウンド）の特別遊技状態（大当たり処理）が実行される。この大当たり処理中は、大入賞口４４がほとんど開放状態であるため、遊技者によって有利な状態とすることができる。所定ラウンドの大当たり処理が終了すると、通常の遊技に戻る。
【００９３】
次に、図６のフローチャートに従い、予告再演出実行制御ルーチンについて説明する。
【００９４】
ステップ３００では、コマンドが入力されたか否かが判断され、否定判定された場合には、このルーチンは終了する。
【００９５】
また、ステップ３００で肯定判定されると、ステップ３０２へ移行して予告演出があるか否かが判断される。
【００９６】
このステップ３０２で肯定判定されると、ステップ３０４へ移行して図柄変動パターンデータを読み出し、次いでステップ３０６へ移行して予告演出データを読出してステップ３０８へ移行する。
【００９７】
ステップ３０８では、前記読み出した図柄変動パターンデータと予告演出データとを合成し、ステップ３１２へ移行する。
【００９８】
また、ステップ３０２で否定判定された場合には、予告演出がないため、ステップ３１０で図柄変動パターンデータを読み出してステップ３１２へ移行する。
【００９９】
ステップ３１２では、変動開始を指示する。これにより、画像表示制御部２１６により、表示部４３を動作させ図柄変動パターン演出を実行（表示）する。
【０１００】
次のステップ３１４では、予告演出が終了したか否かが判断され、肯定判定されると、スイッチ５０の操作を有効とする（ステップ３１６）。
【０１０１】
次のステップ３１８では、スイッチ５０の操作があったか否かが判断され、肯定判定されると、ステップ３２０へ移行して予告演出を指示し、ステップ３２２へ移行する。この予告演出の指示により、後述する図７の予告演出再生指示時実行ルーチンが起動する（詳細後述）。
【０１０２】
また、ステップ３１８で否定判定された場合は、ステップ３２２へ移行する。
【０１０３】
ステップ３２２では、図柄変動パターン演出が終了したか否かが判断され、否定判定の場合には、ステップ３１８へ戻り、上記工程を繰り返す。
【０１０４】
また、ステップ３２２で肯定判定された場合には、ステップ３２４へ移行し、スイッチ５０の操作を無効設定し、このルーチンは終了する。
【０１０５】
図７は、前記図６のステップ３２０において、予告再演出指示があったときに起動するルーチンである。
【０１０６】
ステップ３５０では、予告演出データを読出し、次いでステップ３５２へ移行して、予告演出を図柄変動パターン演出に重ねて再実行する。
【０１０７】
次のステップ３５４では、スイッチ５０の操作時間（継続操作）と予告演出時間とを比較し、スイッチ５０の操作時間が長い（スイッチ操作時間＞予告演出時間）場合には、ステップ３５６へ移行して予め設定した画像で静止する。また、ステップ３５４でスイッチ５０の操作時間の方が短い（スイッチ操作時間≦予告演出時間）場合には、予告演出はそのまま実行され、予告演出終了後、このルーチンは終了する。
【０１０８】
前記ステップ３５６で画像静止した後は、ステップ３５８へ移行して、スイッチ５０の操作が解除されたか否かが判断される。このステップ３５８で肯定判定されると、ステップ３６０へ移行して静止解除がなされ、残りの予告演出が実行された後、このルーチンは終了する。
【０１０９】
図８及び図９は、上記図６及び図７に基づく予告演出の実行状態を示すタイミングチャートである。
【０１１０】
図８は、スイッチ５０の操作が予告演出時間よりも短い場合に特化したものであり、本来の予告演出（図８の矢印Ａ参照）が終了すると、スイッチ５０の操作が有効となる。なお、スイッチ５０の操作が無効のときに、スイッチ５０の操作（図８の矢印Ｂ参照）があっても、何ら変化は生じない。
【０１１１】
スイッチ操作が有効となった後は、スイッチ５０の操作がある毎に（図８の矢印Ｃ１、Ｃ２、Ｃ３参照）、予告演出がその都度再生される（図８の矢印Ｄ１、Ｄ２、Ｄ３参照）。
【０１１２】
図９は、スイッチ５０の操作が予告演出よりも時間が長い場合のタイミングチャートであり、スイッチ操作が有効となった後、スイッチ５０の操作があると（図９の矢印Ｅ参照）、このスイッチ５０の操作時間分、予告演出が実行される（図９の矢印Ｆ参照）。
【０１１３】
ここで、図９に示される如く、この予告演出（図９の矢印Ｆ参照）は、本来の予告演出（図９の矢印Ｇ参照）に比べて時間が長い。この長い分、予告演出の途中を静止画像とする（図９の斜線部参照）。なお、この場合、予告演出の最終画像に限らず、予告演出途中の画像を静止画として、静止画表示終了後、残りの予告演出を実行するようにしてもよい。
【０１１４】
以上説明した如く本実施の形態では、図柄変動パターン演出に予告演出が含まれている場合に、その予告演出が極めて短い時間であり、かつ表示部４３の画像表示領域のごく一部であるため、遊技者が見逃す場合がある。そこで、スイッチ５０を操作することで、既に終了した本来の予告演出を再生するようにした。これにより、遊技者は、見逃した予告演出を確認することができる。また、スイッチ５０の操作状態（継続操作）によっては、予告演出の重要部分で静止画として表示するようにしたため、予告内容の把握が容易となる。
【０１１５】
なお、本実施の形態では、本来の予告演出をスイッチ５０の操作によって再生するようにしたが、図１０に示される如く、本来の予告演出（１）に対して、さらに発展した（予告演出による特図抽選の期待度が変化した）異なる予告演出を行ってもよい。この場合、スイッチ５０の操作の度に、異なる予告演出（図１０の予告演出（２）、（３）、（４）参照）を実行することで、スイッチ５０の操作がより有用となる。
【０１１６】
また、予告演出の変化は、その内容に限らず、スイッチ５０の操作が多くなればなるほど、表示サイズを拡大するようにしてもよい。これにより、表示部４３のごく一部で表示されている予告演出内容を確認し易くなる。
【図面の簡単な説明】
【０１１７】
【図１】本実施の形態に係るパチンコ機の正面図である。
【図２】本実施の形態に係る遊技機の正面図である。
【図３】本実施の形態に係るパチンコ機における制御系のブロック図である。
【図４】演出制御部における予告演出のための機能ブロック図である。
【図５】主制御部における遊技進行制御ルーチンを示すフローチャートである。
【図６】本実施の形態に係る予告再演出実行制御ルーチンを示すフローチャートである。
【図７】本実施の形態に係る予告演出再生指示時実行ルーチンを示すフローチャートである。
【図８】本実施の形態に係る予告演出の実行状態を示すタイミングチャート（スイッチ操作が予告演出時間よりも短い場合）である。
【図９】本実施の形態に係る予告演出の実行状態を示すタイミングチャート（スイッチ操作が予告演出時間よりも長い場合）である。
【図１０】変形例に係る予告演出の実行状態を示すタイミングチャート（予告演出の変化）である。
【符号の説明】
【０１１８】
１０      パチンコ機
３２    遊技盤
４２    センター役物
４３    表示部（表示装置）
４３Ａ    特図表示枠
４６    特別図柄始動口
５０    スイッチ（操作部）
１５０    主制御部
１５２    演出制御部（報知手段）
１５６    図柄・音声制御部
２００    操作信号生成部
２０２    コマンド解析部
２０４    変動パターンデータ読出部
２０６    予告演出有無判定部（特定演出表示制御手段）
２０８    変動パターンデータメモリ（図柄変動パターン演出表示制御手段）
２１０    予告演出データメモリ（特定演出表示制御手段）
２１２    予告演出データ一時保存部（繰り返し表示制御手段）
２１４    画像合成部
２１６    画像表示制御部（図柄変動パターン演出表示制御手段、特定演出表示制御手段）
２１８    表示ドライバ
２２０    有効期間設定部
２２２    ブランキング期間設定部
２２４    予告演出再生指示部（繰り返し表示制御手段）
２２６    予告演出データ再読出部（繰り返し表示制御手段）
２２８    予告演出編集実行部（繰り返し表示制御手段）
【図１】
2006174924.tif 000003
【図２】
2006174924.tif 000004
【図３】
2006174924.tif 000005
【図４】
2006174924.tif 000006
【図５】
2006174924.tif 000007
【図６】
2006174924.tif 000008
【図７】
2006174924.tif 000009
【図８】
2006174924.tif 000010
【図９】
2006174924.tif 000011
【図１０】
2006174924.tif 000012